(57)【要約】 【課題】  開閉体を全閉する際に引戸の引手本体が邪魔にならない反面、開閉体を開いて引戸を開ける際には、引手本体を手前側に引き出し、かつ、該引手本体を用いて引戸を開けることができること。【解決手段】  開閉体が配置される引戸用引手に於いて、引戸の戸先側の内部に略嵌り込むように固定され、かつ、引手本体用収納部を有する取付け座と、この取付け座と少なくとも略面一になるように前記引手本体用収納部に出し入れ自在に収納された引手本体から成る引戸用引手。【選択図】  図１
2006057387.tif 000002
【特許請求の範囲】
【請求項１】
開閉体が配置される引戸用引手に於いて、引戸の戸先側の内部に略嵌り込むように固定され、かつ、引手本体用収納部を有する取付け座と、この取付け座と少なくとも略面一になるように前記引手本体用収納部に出し入れ自在に収納された引手本体から成る引戸用引手。
【請求項２】
請求項１に於いて、引手本体の一部分は、手で摘み、或いは握って手前側に引き出すことができるように括れていることを特徴とする引戸用引手。
【請求項３】
開閉体が配置される引戸用引手に於いて、引戸ａの戸先側の内部ｃに略嵌り込むように固定され、かつ、引手本体用収納部５を有する一方の取付け座１と、この一方の取付け座１と少なくとも略面一になるように前記引手本体用収納部５に出し入れ自在に収納された一方の引手本体１１と、この一方の引手本体と一体的に連結され、かつ、前記引戸ａの戸先側に固定された他方の取付け座１５に設けられた他方の引手本体３１とから成り、前記一方の引手本体１１又は他方の引手本体３１のいずれかを手前側に引き出すと、両方の引手本体１１，３１は、同じ方向へ水平移動することを特徴とする引戸用引手。
【請求項４】
請求項３に於いて、他方の引手本体３１は、内壁３１ａの上下端部に摺動腕３５，３５を有し、これらの摺動腕３５，３５は、一方の引手本体１１に一体的に連結されていることを特徴とする引戸用引手。
【請求項５】
請求項３に於いて、他方の引手本体３１は、共働リンク２５を内部空間３３に収納することができるように長箱状に形成され、前記共働リンクは、外側取付け座１５並びに外側引手本体３１にそれぞれ複数個の軸受け板を介して軸支され、かつ、内側引手本体１１又は外側引手本体３１の水平移動に同期的に連動することを特徴とする引戸用引手。
【請求項６】
請求項３に於いて、開閉体が配設された側の引手本体１１は、上下の復帰バネ２９，２９と共働リンク２５を介して一方の取付け座の引手本体用収納部に常時収納されるように付勢されていることを特徴とする引戸用引手。
【発明の詳細な説明】
【技術分野】
【０００１】
本発明は、建物の出入り口には配置された引戸用引手に関し、例えば、室内側から内側引戸を開ける人を基準としてその手前側に開閉体が配置される引戸（内側引戸又は外側引戸、或いは内外の引戸）の戸先側の壁面に取付けられる引戸用引手に関する。
【背景技術】
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記把手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、引手本体の取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いて引戸を開けることができること。第２の目的は、引手本体を手前側に容易に引き出すことができること。第３の目的は、内外の引手本体のいずれを利用しても引戸を開けることができること。第４の目的は、引手本体から手を離すと、開閉体が手前側に存在する一方の引手本体（例えば内側引手本体）が自動的に取付け座に少なくとも略面一状態に収納されること。第５の目的は、構造を極力シンプル化し、引戸に簡単に取付けることができることである。
【課題を解決するための手段】
【０００４】
本発明の引戸用引手は、開閉体が配置される引戸用引手に於いて、引戸の戸先側の内部に略嵌り込むように固定され、かつ、引手本体用収納部を有する取付け座と、この取付け座と少なくとも略面一になるように前記引手本体用収納部に出し入れ自在に収納された引手本体から成ることを特徴とする。
【０００５】
また、本発明の引戸用引手は、開閉体が配置される引戸用引手に於いて、引戸ａの戸先側の内部ｃに略嵌り込むように固定され、かつ、引手本体用収納部５を有する一方の取付け座１と、この一方の取付け座１と少なくとも略面一になるように前記引手本体用収納部５に出し入れ自在に収納された一方の引手本体１１と、この一方の引手本体と一体的に連結され、かつ、前記引戸ａの戸先側に固定された他方の取付け座１５に設けられた他方の引手本体３１とから成り、前記一方の引手本体１１又は他方の引手本体３１のいずれかを手前側に引き出すと、両方の引手本体１１，３１は、同じ方向へ水平移動することを特徴とする。ここで「開閉体」とは、網戸、シャッターなどをいう。
【発明の効果】
【０００６】
（１）請求項１、請求項３に記載の発明は、例えば室内側から内側の引戸を開ける人を基準としてその手前側に網戸、シャッターなどの開閉体が配置される引戸用引手に於いて、開閉体を全閉する際に引戸の引手本体が邪魔にならない反面、開閉体を開いて引戸を開ける際には、引手本体を手前側に引き出し、かつ、そのまま該引手本体を用いて引戸を開けることができる。
（２）請求項２に記載の発明は、引手本体を手前側に容易に引き出すことができる。
（３）請求項３乃至請求項５に記載の発明は、内外の引手本体のいずれを利用しても引戸を開けることができる。
（４）請求項６に記載の発明は、引手本体から手を離すと、開閉体が手前側に存在する一方の引手本体（例えば内側引手本体）が自動的に取付け座に略面一状態に収納されるので、引手本体の収納が簡単であると共に、必要な時にだけ引手本体を引き出して使用することができる。
【発明を実施するための最良の形態】
【０００７】
以下、図１乃至図８に示す本発明を実施するための最良の形態により説明する。本発明の引戸用引手Ｘは、少なくとも一方の取付け座と、この一方の取付け座に出し入れ自在に収納される一方の引手本体とから成る。
【０００８】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている。なお、取付け座１は縦框以外の戸先側（閉じ側）の内部に固定しても良い。
【０００９】
しかして、２は取付け座１の縦長の長板状部分で、この長板状部分２の上下の端部には、固着具３用の小貫通孔４，４がそれぞれ形成されている。５は取付け座１の縦長ケース状の引手本体用収納部で、この引手本体用収納部５は、図１で示すように断面横向き凹所状に形成されている。この断面横向き凹所を形成する取付け座１の開口６は、一方の引手本体の形態との関係を考慮し、例えば内側引手本体１１を摘んで、或いは握るようにして引手本体用収納部５から所定量引き出すことができるように所定の大きさ及び幅を有する。本実施例では、開口６は長板状部分２の上端部から下端部に至るまで形成されている（図４参照）。取付け座１の長板状部分２と引手本体用収納部５は一体に形成されている。
【００１０】
取付け座１は、図１で示すように、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１１】
７は、引手本体用収納部５の内側引手本体１１と対向する垂直壁５ａの上下の端部にそれぞれ形成された角形の嵌合孔である。これらの嵌合孔７，７には、後述する外側取付け座１５の筒状嵌合部分１８が嵌り合う。
【００１２】
（２）内側引手本体・・・可動部材
１１は片手で摘む、或いは握ることができる内側の引手本体で、この内側引手本体１１は長板状に形成され、取付け座１の引手本体用収納部５に収納することができるように、その長さ、大きさ、形状、肉厚等が適宜に設定されている。本実施例の内側引手本体１１は、手取付け座１と少なくとも略面一（発明の目的を達成する限りに於いて、多少突出する場合も含む。）になるように前記引手本体用収納部５に出し入れ自在に収納されている。また内側引手本体１１の一部分（例えば中央部分）１１ａは、引手本体１１を摘んで、或いは握って容易に取付け座１から手前側に引き出すことができるように括れている（図２、図４参照）。
【００１３】
そして、中央部分１１ａに連設する上下の端部には、第２固着具１２用の小貫通孔１３，１３がそれぞれ形成されている。内側引手本体１１は、本実施例では、後述する外側引手本体３１に前記第２固着具１２を介して一体的に連結させる。したがって、可動部材としての一方の引手本体１１を操作すると、他方の引手本体３１も同じ方向へ移動する。
【００１４】
（３）外側取付け座・・・固定部材
１５は、引手の外観形状を有する外側の取付け座で、この取付け座１５も戸先側の縦框に固定的に取付けられる。１６は取付け座１５の縦長の長板状部分で、この他方の長板状部分１６は、図１、図４等で示すように内側取付け座１の長板状部分２と対向する。したがって、外側の長板状部分１６の大きさ、形状、肉厚等も、一方の長板状部分２と同様に形成されている。本実施例では、内外の取付け座１、１５は固着具３，３を介して一体的に連結され、かつ、内外の引手本体１１，３１は、操作力により一体的に同方向へ水平移動するので、複数の連結部分や嵌合部分が形成されている。
【００１５】
すなわち、１７は長板状部分１６の内壁面１６ａの上下端部にそれぞれ突出形成された連結部分（取付け螺杆部）で、これらの連結部分１７には、第１固着具３，３が螺着する。また、１８は、内側取り付け座１の嵌合孔７，７にそれぞれ嵌合するように、前述した内壁面１６ｂの上下端部寄りの部位にそれぞれ突出形成された角形の筒状嵌合部分である（図１、図４、図７参照）。
【００１６】
１９は他方の取付け座１５の縦長状の引手本体用収納部で、この引手本体用収納部１９は、一方（内側）の取付け座１のそれと同様に断面横向き凹所状に形成されている。但し、本実施例では、内側引手本体１１と外側引手本体３１の形態が相違するので、横向き凹所の大きさは異なる。
【００１７】
ところで、内外の横向き凹所は、当然のことながら、反対方向に向いている。したがって、他方の長板状部分１６の外壁面１６ａに縦長枠状に突出形成された引手本体用収納部１９は、縦長ケース状の外側引手本体３１の少なくとも一方側部分を収納することができるように開口２０している（図７参照）。本実施例では、長板状部分１６と引手本体用収納部１９は、一体に形成されている。
また、取付け座１５は、図１で示すように、引戸ａの外壁面ｄから、縦框の内部ｃに連結部分１７、嵌合部分１８及び長板状部分１６が略入り込み、一方、長板状部分１６の係止つばと引手本体用収納部１９が前記外壁面ｄから部分的或いは全体的に突出する。
【００１８】
ところで、外側取付け座１５には、後述する共働リンク２５を軸支するための軸受け板２１や復帰バネ２９の一端部を受けるバネ受け板２２が設けられている。すなわち、２１は長板状部分１６の外壁面（外側方向の面）１６ｂの中央部寄りの部位に離間して上下に１対設けられた軸受け板（支板）で、これらの軸受け板２１，２１には、それぞれ対向するように水平状態のバネ受け板２２，２２が折曲形成されている。また、上下の軸受け板２１，２１の外端部には、固定支軸（横軸）２３，２３用の軸孔（取付け孔）がそれぞれ形成されている。
【００１９】
（４）共働リンク
２５は、内側引手本体１１又は外側引手本体３１の水平移動に連動するように複数個の軸受け板を介して外側取付け座１５並びに外側引手本体３１にそれぞれ軸支された共働リンクである。
【００２０】
図１及び図７で示すように、本実施例の共働リンク２５は、外側引手本体の内部空間３３ないし取付け座１５の開口２０内で回転自在に軸支されている。共働リンク２５は、図１を基準にすると、「く」の字型に連係される第１共働リンク２６と、この第１共働リンク２６の下端部に連係手段（可動係合ピンと係合長孔）２７を介して、その上端部が連結された第２共働リンク２８とから成り、これらの第１・第２共働リンク２６，２８は、内側引手本体１１又は外側引手本体３１の水平移動に同期的に連動する。
【００２１】
しかして、共働リンク２５を構成する第１・第２共働リンク２６，２８は、上下１組の復帰バネ２９，２９により、内側引手本体１１が内側取付け座１の引手本体用収納部５に常時収納されるように付勢されている。したがって、初期状態を示す図１のように、共働リンク２５は、常に「く」の字型になっている。
【００２２】
共働リンク２５の細部的符号は割愛するが、第１及び第２共働リンク２６，２８は、中央部に前述した固定支軸２３用の軸孔を有している。また、前述した連係手段２７とは反対側の上下の端部には、外側引手本体３１の軸受け板３２，３２に設けられた枢支ピン用の軸孔が形成されている。さらに、復帰バネ２９，２９の他端部を支持するバネ受け板が中央部寄りの部位に適宜に形成されている。
【００２３】
（５）外側引手本体・・・可動部材
３１は片手で握ることができる長箱状の外側引手本体で、本実施例では、前述したように複数個の軸受け板（支板）２１、２１、３２，３２を介して共働リンク２５を内部空間３３に収納している。
【００２４】
外側引手本体３１は、図４で示すように内壁３１ａの中央部に縦長の窓部３４を有している。この窓部３４は共働リンク２５の逃し用のもので、図１で示すように復帰バネ２９，２９のバネ力により内側引手本体１１が内側取付け座１に収納されたとき、第１共働リンク２６と第２共働リンク２８の連係部分２７が若干出てくる。また、外側引手本体３１は、内壁３１ａの上下端部に角形の摺動腕３５，３５有し、これらの摺動腕３５，３５は、前記内壁３１ａから水平状態に突出し、外側取付け座１５の筒状嵌合部分１８，１８にスライド自在に貫入している。
【００２５】
そして、本実施例では、前述したように第２固着具１２，１２を介して内側引手本体１１に一体的に連結されている。したがって、上下１対の摺動腕３５，３５には、第２固着具用のネジ穴がそれぞれ適宜に形成されている。
【００２６】
（６）外側引手本体と共働リンクとの関係
外側引手本体３１の内壁３１ａの内部（内壁面）には、図示しない固定手段を介して上下１対の軸受け板３２，３２が固定されている。これら上下の軸受け板３２，３２に固定側の上下の枢支ピン３６，３６を介して第１共働リンク２６の上端部及び第２共働リンク２８の下端部がそれぞれ軸支されている。
【００２７】
（７）最良の実施例の作用・効果
ここで、図面を参照しながら、最良の実施例の作用効果を記載する。図１は、一方の引手本体（本実施例では、内側引手本体）１１が、復帰バネ２９，２９のバネ力により、一方の取付け座（本実施例では、内側取付け座）１の引手本体用収納部５に、該取付け座１の長板状部分と少なくとも略面一になるように収納された初期の状態を示している。
【００２８】
図５は建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側引戸ａの戸先側（閉じ側）に本発明の引戸用引手Ｘを装着した一例を示している。
【００２９】
上記の使用態様に於いて、共働リンク２５を構成する第１・第２共働リンク２６，２８は、上下の復帰バネ２９，２９のバネ力により、内側引手本体１１を内側取付け座１１の引手本体用収納部５に常時収納するように付勢する。したがって、本実施例では、手前側に引き出した内側引手本体１１を離すと、復帰バネ２９，２９のバネ力により、自動的に取付け座１に略面一状態に収納される。その結果、内側引手本体１１が邪魔にならず、開閉体４４を矢印Ａ方向へ完全に閉じることができる。
【００３０】
一方、図６は、内側引手本体１１の手前側の開閉体４４を矢印Ｂ方向へ任意に開いた場合に於いて、前記内側引手本体１１を片手で摘み、或いは握って手前側に所定量引き出したときの状態を示す。この場合、第１・第２共働リンク２６，２８は、上下の復帰バネ２９，２９のバネ力に抗して「逆く」の字状になる。そこで、引き出した内側引手本体１１をそのまま利用して内側引戸ａを開くことができる（図８参照）。
【実施例】
【００３１】
発明の実施の形態で示した実施例に於いて、発明の本質的目的との関係では、共働リンクや復帰バネは必須要件ではない。また、一方の引手本体と他方の引手本体を一体的に連結することも必須要件ではない。要は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できる構成であれば良い。
【産業上の利用可能性】
【００３２】
本発明は、主に建具の業界で利用される。
【図面の簡単な説明】
【００３３】
図１乃至図８は本発明の最良の実施例を示す各説明図。
【図１】初期状態の概略説明図（内側引手本体が内側取付け座に収納されている状態）。
【図２】図１の正面からの説明図。
【図３】図１の背面からの説明図。
【図４】分解斜視図。
【図５】引き違い戸の使用例に於いて、開閉体を全閉した場合の概略説明図。
【図６】引き違い戸の使用例に於いて、開閉体を開いた状態の概略説明図。
【図７】図６の状態に於いて、引手本体を手前側に引き出した場合の概略説明図。
【図８】図７の状態に於いて、引手本体を利用して引戸を開いた場合の概略説明図。
【符号の説明】
【００３４】
Ｘ…引戸用引手、ａ…引戸（内側の引戸）、1…一方の取付け座、２…長板状部分、３…固着具、４…小貫通孔、５…引手本体用収納部、６…開口、７…嵌合孔、１１…内側引手本体、１１ａ…一部分（例えば中央部分）、１２…第２固着具、１３…小貫通孔、１５…他方の取付け座、１６…長板状部分、１７…連結部分、１８…筒状嵌合部分、１９…引手本体用収納部、２０…開口、２１，３２…軸受け板、２２…バネ受け板、２３…固定支軸、２５…共働リンク、２６…第１共働リンク、２７…連係手段、２８…第２共働リンク、２９…復帰バネ、３１…外側引手本体、３４…窓部、３５…摺動腕、３６…枢支ピン、４１…戸枠、４２…引き違い戸、４３…室内、４４…開閉体。
【図１】
2006057387.tif 000003
【図２】
2006057387.tif 000004
【図３】
2006057387.tif 000005
【図４】
2006057387.tif 000006
【図５】
2006057387.tif 000007
【図６】
2006057387.tif 000008
【図７】
2006057387.tif 000009
【図８】
2006057387.tif 000010
【手続補正書】
【提出日】平成17年7月12日(2005.7.12)
【手続補正１】
【補正対象書類名】特許請求の範囲
【補正対象項目名】全文
【補正方法】変更
【補正の内容】
【特許請求の範囲】
【請求項１】
開閉体が配置される引戸用引手に於いて、引戸の戸先側の内部に略嵌り込むように固定され、かつ、引手本体用収納部を有する取付け座と、この取付け座と少なくとも略面一になるように前記引手本体用収納部に出し入れ自在に収納された引手本体から成る引戸用引手。
【請求項２】
請求項１に於いて、引手本体の一部分は、手で摘み、或いは握って手前側に引き出すことができるように括れていることを特徴とする引戸用引手。
【請求項３】
引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする引戸。
【請求項４】
開閉体が配置される引戸用引手に於いて、引戸ａの戸先側の内部ｃに略嵌り込むように固定され、かつ、引手本体用収納部５を有する一方の取付け座１と、この一方の取付け座１と少なくとも略面一になるように前記引手本体用収納部５に出し入れ自在に収納された一方の引手本体１１と、この一方の引手本体と一体的に連結され、かつ、前記引戸ａの戸先側に固定された他方の取付け座１５に設けられた他方の引手本体３１とから成り、前記一方の引手本体１１又は他方の引手本体３１のいずれかを手前側に引き出すと、両方の引手本体１１，３１は、同じ方向へ水平移動することを特徴とする引戸用引手。
【請求項５】
請求項４に於いて、他方の引手本体３１は、内壁３１ａの上下端部に摺動腕３５，３５を有し、これらの摺動腕３５，３５は、一方の引手本体１１に一体的に連結されていることを特徴とする引戸用引手。
【請求項６】
請求項４に於いて、他方の引手本体３１は、共働リンク２５を内部空間３３に収納することができるように長箱状に形成され、前記共働リンクは、外側取付け座１５並びに外側引手本体３１にそれぞれ複数個の軸受け板を介して軸支され、かつ、内側引手本体１１又は外側引手本体３１の水平移動に同期的に連動することを特徴とする引戸用引手。
【請求項７】
請求項４に於いて、開閉体が配設された側の引手本体１１は、上下の復帰バネ２９，２９と共働リンク２５を介して一方の取付け座の引手本体用収納部に常時収納されるように付勢されていることを特徴とする引戸用引手。
【手続補正２】
【補正対象書類名】明細書
【補正対象項目名】全文
【補正方法】変更
【補正の内容】
【発明の詳細な説明】
【技術分野】
【０００１】
本発明は、建物の出入り口には配置された引戸用引手及び引戸に関し、例えば、室内側から内側引戸を開ける人を基準としてその手前側に開閉体が配置される引戸（内側引戸又は外側引戸、或いは内外の引戸）の戸先側の壁面に取付けられる引戸用引手及び引戸に関する。
【０００２】
この種の引戸用の引手の一例として特許文献１が存在する。この特許文献１の図５乃至図７には、引き違い引戸の戸先側（閉じ側）の縦框内に把手を回転して収納する構成が開示されている。この特許文献１に記載の発明の目的は、引戸を全開する場合に於いて、引戸の引き違い面側に突出している前記把手が邪魔にならないように前記縦框の内部空間に把手を回転収納することを目的とする点で、本願発明の主たる目的（開閉体を全閉する際に引戸の引手本体が邪魔にならないと共に、必要な時にだけ引手本体を引き出して使用すること。）と相違する。また、把手の構造的についても、本願発明の引手本体とは、引手本体の取付け箇所、作動態様、形態等が相違する。
【特許文献１】特開２００１−２１４６４４号公報
【発明の開示】
【発明が解決しようとする課題】
【０００３】
本発明の第１の目的は、開閉体を全閉する際に引戸の引手本体が邪魔にならない反面、開閉体を開いて引戸を開ける際には、引手本体を手前側に引き出し、かつ、該引手本体を用いて引戸を開けることができること。第２の目的は、引手本体を手前側に容易に引き出すことができること。第３の目的は、内外の引手本体のいずれを利用しても引戸を開けることができること。第４の目的は、引手本体から手を離すと、開閉体が手前側に存在する一方の引手本体（例えば内側引手本体）が自動的に取付け座に少なくとも略面一状態に収納されること。第５の目的は、構造を極力シンプル化し、引戸に簡単に取付けることができることである。
【課題を解決するための手段】
【０００４】
本発明の引戸用引手は、開閉体が配置される引戸用引手に於いて、引戸の戸先側の内部に略嵌り込むように固定され、かつ、引手本体用収納部を有する取付け座と、この取付け座と少なくとも略面一になるように前記引手本体用収納部に出し入れ自在に収納された引手本体から成ることを特徴とする。
【０００５】
また、本発明の引戸用引手は、開閉体が配置される引戸用引手に於いて、引戸ａの戸先側の内部ｃに略嵌り込むように固定され、かつ、引手本体用収納部５を有する一方の取付け座１と、この一方の取付け座１と少なくとも略面一になるように前記引手本体用収納部５に出し入れ自在に収納された一方の引手本体１１と、この一方の引手本体と一体的に連結され、かつ、前記引戸ａの戸先側に固定された他方の取付け座１５に設けられた他方の引手本体３１とから成り、前記一方の引手本体１１又は他方の引手本体３１のいずれかを手前側に引き出すと、両方の引手本体１１，３１は、同じ方向へ水平移動することを特徴とする。
【０００６】
また、本発明の引戸は、請求項１の構成をそのまま含み、開閉体は、引手本体の手前側に位置するように配置され、前記引手本体は、開閉体を全閉する際に邪魔にならないように取付け座の収納部に収納され、一方、開閉体を開いた際には、前記引手本体を手前側に引き出し得ることを特徴とする。ここで「開閉体」とは、網戸、シャッターなどをいう。
【発明の効果】
【０００７】
（１）請求項１、請求項３に記載の発明は、例えば室内側から内側の引戸を開ける人を基準としてその手前側に網戸、シャッターなどの開閉体が配置される引戸用引手及び引戸に於いて、開閉体を全閉する際に引戸の引手本体が邪魔にならない反面、開閉体を開いて引戸を開ける際には、引手本体を手前側に引き出し、かつ、そのまま該引手本体を用いて引戸を開けることができる。
（２）請求項２に記載の発明は、引手本体を手前側に容易に引き出すことができる。
（３）請求項４、請求項５、請求項６に記載の発明は、内外の引手本体のいずれを利用しても引戸を開けることができる。
（４）請求項７に記載の発明は、引手本体から手を離すと、開閉体が手前側に存在する一方の引手本体（例えば内側引手本体）が自動的に取付け座に略面一状態に収納されるので、引手本体の収納が簡単であると共に、必要な時にだけ引手本体を引き出して使用することができる。
【発明を実施するための最良の形態】
【０００８】
以下、図１乃至図８に示す本発明を実施するための最良の形態により説明する。本発明の引戸用引手Ｘは、少なくとも一方の取付け座と、この一方の取付け座に出し入れ自在に収納される一方の引手本体とから成る。
【０００９】
（１）内側取付け座・・・固定部材
１は引手の外観形状を有する内側の取付け座で、この取付け座１は、引戸ａの戸先側（閉じ側）の縦框に固定的に取付けられる。本実施例では、内側取付け座１は引戸ａの戸先側の内部ｃに略嵌り込むように固定されている。なお、取付け座１は縦框以外の戸先側（閉じ側）の内部に固定しても良い。
【００１０】
しかして、２は取付け座１の縦長の長板状部分で、この長板状部分２の上下の端部には、固着具３用の小貫通孔４，４がそれぞれ形成されている。５は取付け座１の縦長ケース状の引手本体用収納部で、この引手本体用収納部５は、図１で示すように断面横向き凹所状に形成されている。この断面横向き凹所を形成する取付け座１の開口６は、一方の引手本体の形態との関係を考慮し、例えば内側引手本体１１を摘んで、或いは握るようにして引手本体用収納部５から所定量引き出すことができるように所定の大きさ及び幅を有する。本実施例では、開口６は長板状部分２の上端部から下端部に至るまで形成されている（図４参照）。取付け座１の長板状部分２と引手本体用収納部５は一体に形成されている。
【００１１】
取付け座１は、図１で示すように、引戸ａの内壁面ｂから縦框内部ｃに略嵌り込んでいる。好ましくは、引手本体用収納部５は、縦框の内部ｃに完全に入り込み、フランジ状の長板状部分２は、引戸ａの内壁面と略面一状態（発明の目的を達成する限りに於いて、多少突出する場合も含む。）となる。
【００１２】
７は、引手本体用収納部５の内側引手本体１１と対向する垂直壁５ａの上下の端部にそれぞれ形成された角形の嵌合孔である。これらの嵌合孔７，７には、後述する外側取付け座１５の筒状嵌合部分１８が嵌り合う。
【００１３】
（２）内側引手本体・・・可動部材
１１は片手で摘む、或いは握ることができる内側の引手本体で、この内側引手本体１１は長板状に形成され、取付け座１の引手本体用収納部５に収納することができるように、その長さ、大きさ、形状、肉厚等が適宜に設定されている。本実施例の内側引手本体１１は、手取付け座１と少なくとも略面一（発明の目的を達成する限りに於いて、多少突出する場合も含む。）になるように前記引手本体用収納部５に出し入れ自在に収納されている。また内側引手本体１１の一部分（例えば中央部分）１１ａは、引手本体１１を摘んで、或いは握って容易に取付け座１から手前側に引き出すことができるように括れている（図２、図４参照）。
【００１４】
そして、中央部分１１ａに連設する上下の端部には、第２固着具１２用の小貫通孔１３，１３がそれぞれ形成されている。内側引手本体１１は、本実施例では、後述する外側引手本体３１に前記第２固着具１２を介して一体的に連結させる。したがって、可動部材としての一方の引手本体１１を操作すると、他方の引手本体３１も同じ方向へ移動する。
【００１５】
（３）外側取付け座・・・固定部材
１５は、引手の外観形状を有する外側の取付け座で、この取付け座１５も戸先側の縦框に固定的に取付けられる。１６は取付け座１５の縦長の長板状部分で、この他方の長板状部分１６は、図１、図４等で示すように内側取付け座１の長板状部分２と対向する。したがって、外側の長板状部分１６の大きさ、形状、肉厚等も、一方の長板状部分２と同様に形成されている。本実施例では、内外の取付け座１、１５は固着具３，３を介して一体的に連結され、かつ、内外の引手本体１１，３１は、操作力により一体的に同方向へ水平移動するので、複数の連結部分や嵌合部分が形成されている。
【００１６】
すなわち、１７は長板状部分１６の内壁面１６ａの上下端部にそれぞれ突出形成された連結部分（取付け螺杆部）で、これらの連結部分１７には、第１固着具３，３が螺着する。また、１８は、内側取り付け座１の嵌合孔７，７にそれぞれ嵌合するように、前述した内壁面１６ｂの上下端部寄りの部位にそれぞれ突出形成された角形の筒状嵌合部分である（図１、図４、図７参照）。
【００１７】
１９は他方の取付け座１５の縦長状の引手本体用収納部で、この引手本体用収納部１９は、一方（内側）の取付け座１のそれと同様に断面横向き凹所状に形成されている。但し、本実施例では、内側引手本体１１と外側引手本体３１の形態が相違するので、横向き凹所の大きさは異なる。
【００１８】
ところで、内外の横向き凹所は、当然のことながら、反対方向に向いている。したがって、他方の長板状部分１６の外壁面１６ａに縦長枠状に突出形成された引手本体用収納部１９は、縦長ケース状の外側引手本体３１の少なくとも一方側部分を収納することができるように開口２０している（図７参照）。本実施例では、長板状部分１６と引手本体用収納部１９は、一体に形成されている。
【００１９】
また、取付け座１５は、図１で示すように、引戸ａの外壁面ｄから、縦框の内部ｃに連結部分１７、嵌合部分１８及び長板状部分１６が略入り込み、一方、長板状部分１６の係止つばと引手本体用収納部１９が前記外壁面ｄから部分的或いは全体的に突出する。
【００２０】
ところで、外側取付け座１５には、後述する共働リンク２５を軸支するための軸受け板２１や復帰バネ２９の一端部を受けるバネ受け板２２が設けられている。すなわち、２１は長板状部分１６の外壁面（外側方向の面）１６ｂの中央部寄りの部位に離間して上下に１対設けられた軸受け板（支板）で、これらの軸受け板２１，２１には、それぞれ対向するように水平状態のバネ受け板２２，２２が折曲形成されている。また、上下の軸受け板２１，２１の外端部には、固定支軸（横軸）２３，２３用の軸孔（取付け孔）がそれぞれ形成されている。
【００２１】
（４）共働リンク
２５は、内側引手本体１１又は外側引手本体３１の水平移動に連動するように複数個の軸受け板を介して外側取付け座１５並びに外側引手本体３１にそれぞれ軸支された共働リンクである。
【００２２】
図１及び図７で示すように、本実施例の共働リンク２５は、外側引手本体の内部空間３３ないし取付け座１５の開口２０内で回転自在に軸支されている。共働リンク２５は、図１を基準にすると、「く」の字型に連係される第１共働リンク２６と、この第１共働リンク２６の下端部に連係手段（可動係合ピンと係合長孔）２７を介して、その上端部が連結された第２共働リンク２８とから成り、これらの第１・第２共働リンク２６，２８は、内側引手本体１１又は外側引手本体３１の水平移動に同期的に連動する。
【００２３】
しかして、共働リンク２５を構成する第１・第２共働リンク２６，２８は、上下１組の復帰バネ２９，２９により、内側引手本体１１が内側取付け座１の引手本体用収納部５に常時収納されるように付勢されている。したがって、初期状態を示す図１のように、共働リンク２５は、常に「く」の字型になっている。
【００２４】
共働リンク２５の細部的符号は割愛するが、第１及び第２共働リンク２６，２８は、中央部に前述した固定支軸２３用の軸孔を有している。また、前述した連係手段２７とは反対側の上下の端部には、外側引手本体３１の軸受け板３２，３２に設けられた枢支ピン用の軸孔が形成されている。さらに、復帰バネ２９，２９の他端部を支持するバネ受け板が中央部寄りの部位に適宜に形成されている。
【００２５】
（５）外側引手本体・・・可動部材
３１は片手で握ることができる長箱状の外側引手本体で、本実施例では、前述したように複数個の軸受け板（支板）２１、２１、３２，３２を介して共働リンク２５を内部空間３３に収納している。
【００２６】
外側引手本体３１は、図４で示すように内壁３１ａの中央部に縦長の窓部３４を有している。この窓部３４は共働リンク２５の逃し用のもので、図１で示すように復帰バネ２９，２９のバネ力により内側引手本体１１が内側取付け座１に収納されたとき、第１共働リンク２６と第２共働リンク２８の連係部分２７が若干出てくる。また、外側引手本体３１は、内壁３１ａの上下端部に角形の摺動腕３５，３５有し、これらの摺動腕３５，３５は、前記内壁３１ａから水平状態に突出し、外側取付け座１５の筒状嵌合部分１８，１８にスライド自在に貫入している。  
【００２７】
そして、本実施例では、前述したように第２固着具１２，１２を介して内側引手本体１１に一体的に連結されている。したがって、上下１対の摺動腕３５，３５には、第２固着具用のネジ穴がそれぞれ適宜に形成されている。
【００２８】
（６）外側引手本体と共働リンクとの関係
外側引手本体３１の内壁３１ａの内部（内壁面）には、図示しない固定手段を介して上下１対の軸受け板３２，３２が固定されている。これら上下の軸受け板３２，３２に固定側の上下の枢支ピン３６，３６を介して第１共働リンク２６の上端部及び第２共働リンク２８の下端部がそれぞれ軸支されている。
【００２９】
（７）最良の実施例の作用・効果
ここで、図面を参照しながら、最良の実施例の作用効果を記載する。図１は、一方の引手本体（本実施例では、内側引手本体）１１が、復帰バネ２９，２９のバネ力により、一方の取付け座（本実施例では、内側取付け座）１の引手本体用収納部５に、該取付け座１の長板状部分と少なくとも略面一になるように収納された初期の状態を示している。
図５は建物の出入り口のサッシ型戸枠４１内に配置された引き違い戸４２の内側引戸ａの手前側（ここでは「室内４３」側を意味する。）に開閉体４４が開閉自在に配置されている場合に於いて、前記内側引戸ａの戸先側（閉じ側）に本発明の引戸用引手Ｘを装着した一例を示している。
【００３０】
上記の使用態様に於いて、共働リンク２５を構成する第１・第２共働リンク２６，２８は、上下の復帰バネ２９，２９のバネ力により、内側引手本体１１を内側取付け座１１の引手本体用収納部５に常時収納するように付勢する。したがって、本実施例では、手前側に引き出した内側引手本体１１を離すと、復帰バネ２９，２９のバネ力により、自動的に取付け座１に略面一状態に収納される。その結果、内側引手本体１１が邪魔にならず、開閉体４４を矢印Ａ方向へ完全に閉じることができる。
【００３１】
一方、図６は、内側引手本体１１の手前側の開閉体４４を矢印Ｂ方向へ任意に開いた場合に於いて、前記内側引手本体１１を片手で摘み、或いは握って手前側に所定量引き出したときの状態を示す。この場合、第１・第２共働リンク２６，２８は、上下の復帰バネ２９，２９のバネ力に抗して「逆く」の字状になる。そこで、引き出した内側引手本体１１をそのまま利用して内側引戸ａを開くことができる（図８参照）。
【実施例】
【００３２】
発明の実施の形態で示した実施例に於いて、発明の本質的目的との関係では、共働リンクや復帰バネは必須要件ではない。また、一方の引手本体と他方の引手本体を一体的に連結することも必須要件ではない。要は、開閉体が全閉することができるように「取付け座」を引戸ａの戸先側の内部ｃに略嵌り込むように固定すると共に、「引手本体」を取付け座の引手本体用収納部に、該取付け座と少なくとも略面一になるように出し入れ自在に収納できる構成であれば良い。
【産業上の利用可能性】
【００３３】
本発明は、主に建具の業界で利用される。
【図面の簡単な説明】
【００３４】
図１乃至図８は本発明の最良の実施例を示す各説明図。
【図１】初期状態の概略説明図（内側引手本体が内側取付け座に収納されている状態）。
【図２】図１の正面からの説明図。
【図３】図１の背面からの説明図。
【図４】分解斜視図。
【図５】引き違い戸の使用例に於いて、開閉体を全閉した場合の概略説明図。
【図６】引き違い戸の使用例に於いて、開閉体を開いた状態の概略説明図。
【図７】図６の状態に於いて、引手本体を手前側に引き出した場合の概略説明図。
【図８】図７の状態に於いて、引手本体を利用して引戸を開いた場合の概略説明図。
【符号の説明】
【００３５】
Ｘ…引戸用引手、ａ…引戸（内側の引戸）、1…一方の取付け座、２…長板状部分、３…固着具、４…小貫通孔、５…引手本体用収納部、６…開口、７…嵌合孔、１１…内側引手本体、１１ａ…一部分（例えば中央部分）、１２…第２固着具、１３…小貫通孔、１５…他方の取付け座、１６…長板状部分、１７…連結部分、１８…筒状嵌合部分、１９…引手本体用収納部、２０…開口、２１，３２…軸受け板、２２…バネ受け板、２３…固定支軸、２５…共働リンク、２６…第１共働リンク、２７…連係手段、２８…第２共働リンク、２９…復帰バネ、３１…外側引手本体、３４…窓部、３５…摺動腕、３６…枢支ピン、４１…戸枠、４２…引き違い戸、４３…室内、４４…開閉体。